(57)【要約】【課題】  ペルチェ素子の熱交換効率を向上させて、使用者が温かさや冷たさをより良好に感じられる浴槽を提供する。【解決手段】  裏面に設けられたペルチェ素子２により浴槽１を加熱・冷却し、ペルチェ素子２の加熱作動時の吸熱側・冷却作動時の放熱側を水もしくは湯で熱交換されるように、熱交換器４に流入配管５ａと流出配管５ｂを接続する。【選択図】  図１
2006325893.tif 000002
【特許請求の範囲】
【請求項１】
裏面に設けられたペルチェ素子により浴槽を加熱・冷却し、前記ペルチェ素子の加熱作動時の吸熱側・冷却作動時の放熱側を水もしくは湯で熱交換されるように構成したことを特徴とする浴槽。
【請求項２】
前記浴槽が金属製であり、前記ペルチェ素子が浴槽の上縁裏面に設けられていることを特徴とする請求項１に記載の浴槽。
【発明の詳細な説明】
【技術分野】
【０００１】
本発明は、ペルチェ素子を備えた浴槽に関するものである。
【背景技術】
【０００２】
従来、ホーロー，ステンレス等の金属製の浴槽では、上縁部を枕及び肘掛けとして用いる時に、冬場では冷たく感じ、夏場では温く感じて良好に首筋等を冷やすことができないものであった。
なお、特許文献１に開示されているように、浴槽のヘッドレスト部に温度調整手段を設けたものが存在し、また、特許文献２に開示されているように、浴槽にペルチェ素子を備え、浴槽内の水を加熱／冷却することができるように構成したものが存在する。
【特許文献１】特開平６−７０８５８号公報
【特許文献２】実開平１−１３３４８４号公報
【発明の開示】
【発明が解決しようとする課題】
【０００３】
従来では、ペルチェ素子により浴槽の部分を加熱または冷却しようとする際に、熱交換効率が悪く、好みの温度に加熱あるいは冷却することが難しいという問題点があった。
【課題を解決するための手段】
【０００４】
本発明は上記従来の問題点に鑑み案出したものであって、ペルチェ素子の熱交換効率を向上させて、使用者が温かさや冷たさをより良好に感じることのできる浴槽を提供するものであり、その請求項１は、裏面に設けられたペルチェ素子により浴槽を加熱・冷却し、前記ペルチェ素子の加熱作動時の吸熱側・冷却作動時の放熱側を水もしくは湯で熱交換されるように構成したことである。
【０００５】
また、請求項２は、前記浴槽が金属製であり、前記ペルチェ素子が浴槽の上縁裏面に設けられていることである。
【発明の効果】
【０００６】
本発明は、裏面に設けられたペルチェ素子により浴槽を加熱・冷却し、ペルチェ素子の加熱作動時の吸熱側・冷却作動時の放熱側を水もしくは湯で熱交換されるように構成したことにより、水もしくは湯を用いて、良好にペルチェ素子の熱交換効率を向上させることができ、ペルチェ素子が設けられた浴槽の部分の温かさや冷たさを使用者は良好に感じられるものとなる。
【０００７】
また、浴槽が金属製であり、ペルチェ素子が浴槽の上縁裏面に設けられていることにより、例えば、夏場において浴槽の上縁が良好にペルチェ素子により冷やされるため、この浴槽の上縁に首筋等を当てて気持ち良く冷やすことができるものとなる。
【実施例】
【０００８】
以下、本発明の実施例を図面に基づいて説明する。
図１は、浴槽の概略縦断面構成図であり、浴槽１は、ステンレスあるいはホーロー製であり、例えばホーロー浴槽の場合は、鋳鉄の表面にガラス釉薬によるホーロー表面層が形成されたものとなっている。
この浴槽１の上縁には、外方に略水平に突出してフランジ部１ａが一体形成されており、底側には排水口１ｂが開口されている。
この浴槽１のフランジ部１ａの裏側に、ペルチェ素子２が取り付けられており、このペルチェ素子２の下面側には、熱交換器４が設けられている。
【０００９】
また、熱交換器４には、流入配管５ａと流出配管５ｂが接続されており、流出配管５ｂの下流端は、浴槽の排水口１ｂに接続された排水管６に連通接続されている。
なお、水もしくは湯を流入配管５ａに通し、熱交換器４内で良好に水もしくは湯で熱交換を行わせて、流出配管５ｂから排水管６内に排出できるものである。
【００１０】
なお、ペルチェ素子２には、電源コンセント３が接続されており、この電源コンセント３を電源に差し込んでペルチェ素子２に通電することにより、例えば夏場においては、ペルチェ素子２の上面側を冷却して、これにより浴槽１のフランジ部１ａの周辺を良好に冷すことができるものである。
なお、この場合、ペルチェ素子２の下面側は、放熱側となるが、例えば、夏場において、２５℃程度の温度の水を流入配管５ａから熱交換器４内に流入させて、熱交換することにより、ペルチェ素子２の下面側は冷やされ、例えばペルチェ素子２の上面を１０℃程度まで下げて、フランジ部１ａを１０℃程度に冷やすことができるものとなる。
従って、夏場において、フランジ部１ａを１０℃程度に冷やすことができるため、このフランジ部１ａの付近に首筋や頭を載せることにより、良好に頭や首筋を冷やすことができ、気持ち良くリラックスして入浴することができるものとなる。
【００１１】
なお、図１では、浴槽１内に入れられる湯の湯張り面Ｗよりも上方にペルチェ素子２及び熱交換器４が設けられたものである。
なお、冬場においては、スイッチ等の切り替えによりペルチェ素子２への通電を逆にして、ペルチェ素子２の上面側から放熱させることができ、この場合はフランジ部１ａが良好に温められることとなる。
なお、その場合は、ペルチェ素子２の下面は吸熱側となるため、熱交換器４内には流入配管５ａから湯を入れて、湯で良好に熱交換を行わせることができ、効率良くペルチェ素子２の上面を放熱させて、フランジ部１ａを温めることができるものとなる。
【００１２】
なお、図２の要部縦断面構成図で示すように、下方側までペルチェ素子２を延ばして設置することもでき、図２では、ペルチェ素子２及び熱交換器４は、フランジ部１ａの裏側から浴槽の立上壁１ｃの裏側に亘り略Ｌ字状に設けられており、ペルチェ素子２を介して浴槽のフランジ部１ａ及び浴槽立上壁１ｃの部分を良好に冷却あるいは加熱することができるものとなる。
この図２のような構成では、少ない湯を張って浴槽１内で半身浴を行う際に、良好に背中や腰等を冷やしたり温めたりすることができるものとなる。
【００１３】
なお、浴槽１がホーロー浴槽である場合に、フランジ部１ａや立上壁１ｃの部分に蓄光材あるいは感温材を焼き込んで形成することができる。
例えば、ガラス粉を振りかけて焼き、表面に釉薬層を形成させる際に、感温材を振りかけて焼き込むことができるものである。また、感温シールを転写させてガラス釉薬層内に焼き込んで構成することもできる。
このように、蓄光材あるいは感温材をフランジ部１ａ，立上壁１ｃの部分に焼き込んでおけば、温度により色が変わり、フランジ部１ａあるいは立上壁１ｃの部分が冷えているか、あるいは温まっているかを、目で良好に確認できるものとなる。
【図面の簡単な説明】
【００１４】
【図１】第１実施例の浴槽の縦断面構成図である。
【図２】ペルチェ素子及び熱交換器を更に下方側まで延ばして設置した状態の要部縦断面構成図である。
【符号の説明】
【００１５】
１  浴槽
１ａ  フランジ部
１ｂ  排水口
１ｃ  立上壁
２  ペルチェ素子
３  電源コンセント
４  熱交換器
５ａ  流入配管
５ｂ  流出配管
６  排水管
Ｗ  湯張り面
【図１】
2006325893.tif 000003
【図２】
2006325893.tif 000004